(57)【特許請求の範囲】
【請求項１】
アナログ方式のテレビジョン放送に対応する映像情報が格納された第１記録媒体から映像情報を読み出し、読み出された映像情報の放送方式を判別する第１判別手段と、
前記第１記録媒体とは異なる第２記録媒体へ記録される際に、前記第２記録媒体へ記録される映像情報の放送方式を判別する第２判別手段と、を備え、
前記第２判別手段によって判別された放送方式に基づいて、前記第２記録媒体に映像情報を記録する映像記録装置であって、
前記第１記録媒体から読み出された映像情報を、前記第２記録媒体に記録する記録実行手段を備え、
前記記録実行手段によって、前記第１記録媒体から読み出された映像情報が前記第２記録媒体へ記録される際には、前記第２判別手段ではなく前記第１判別手段によって判別された放送方式に基づいて、前記第２記録媒体に映像情報が記録されることを特徴とする映像記録装置。
【請求項２】
前記第１記録媒体に格納された映像情報の放送方式は、ＰＡＬ（ＰｈａｓｅＡｌｔｅｒｎａｔｉｎｇ Ｌｉｎｅ）方式、又は、ＳＥＣＡＭ（Ｓｅｑｕｅｎｔｉｅｌ Ｃｏｕｌｅｕｒ ａ Ｍｅｍｏｉｒｅ）方式であって、
前記第１判別手段によって判別された放送方式がＳＥＣＡＭ方式である場合に、ＳＥＣＡＭ方式の映像情報をＰＡＬ方式の映像情報に変換する方式変換手段を備え、
前記記録実行手段は、前記第１判別手段によって判別された放送方式がＳＥＣＡＭ方式である場合に、前記方式変換手段によってＰＡＬ方式に変換された映像情報を前記第２記録媒体に記録することを特徴とする請求項１に記載の映像記録装置。
【請求項３】
前記第１判別手段によって判別された放送方式が、前記第２判別手段によって判別された放送方式と一致するか否かを判定する、方式判定手段を備えたことを特徴とする請求項２に記載の映像記録装置。
【請求項４】
前記第１記録媒体は、磁気テープであって、
前記第２記録媒体は、ＨＤ（ＨａｒｄＤｉｓｋ）、又は、ＤＶＤ（Ｄｉｇｉｔａｌ Ｖｅｒｓａｔｉｌｅ Ｄｉｓｋ）であることを特徴とする請求項３に記載の映像記録装置。
【請求項５】
前記第１記録媒体は、デジタル方式の記録媒体であって、
前記第２記録媒体は、アナログ方式の記録媒体であることを特徴とする請求項１又は請求項２に記載の映像記録装置。
【請求項６】
前記第１記録媒体は、ＨＤ（ＨａｒｄＤｉｓｋ）、又は、ＤＶＤ（Ｄｉｇｉｔａｌ Ｖｅｒｓａｔｉｌｅ Ｄｉｓｋ）であって、
前記第２記録媒体は、磁気テープであることを特徴とする請求項５に記載の映像記録装置。
【発明の詳細な説明】
【技術分野】
【０００１】
本発明は、アナログ方式のテレビジョン放送に対応する映像情報が格納された第１記録媒体から映像情報を読み出して、前記第１記録媒体とは異なる第２記録媒体に映像情報を記録可能に構成された映像記録装置に関する。特に、ＨＤＤ（Ｈａｒｄ  Ｄｉｓｋ  Ｄｒｉｖｅ）（又は、ＤＶＤ（Ｄｉｇｉｔａｌ  Ｖｅｒｓａｔｉｌｅ  Ｄｉｓｋ）記録再生部）及びＶＣＲ（Ｖｉｄｅｏ  Ｃａｓｅｔｔｅ  Ｒｅｃｏｒｄｅｒ）を有するＨＤＤ（又はＤＶＤ）レコーダに関する。
【背景技術】
【０００２】
近年、複数種類の記録媒体、例えば、ＶＣ（Ｖｉｄｅｏ  Ｃａｓｅｔｔｅ）等の磁気テープ及びＨＤＤ（Ｈａｒｄ  Ｄｉｓｋ  Ｄｒｉｖｅ）（又は、ＤＶＤ（Ｄｉｇｉｔａｌ  Ｖｅｒｓａｔｉｌｅ  Ｄｉｓｋ）等の光ディスク）の再生及び記録を可能に構成されたＨＤＤ（又は、ＤＶＤ）レコーダ等の映像記録装置が普及している。
【０００３】
これらの映像記録装置においては、アナログ方式のテレビジョン放送に対応する映像情報が格納されたＶＣ等のアナログ方式の記録媒体から、ＨＤＤ、ＤＶＤ等のデジタル方式の記録媒体へのダビング処理を行うことができる。そこで、該ダビング処理を利便性良好に行うために、種々の方法、装置が提案されている。
【０００４】
例えば、磁気テープメディアに記録されている放送方式を判別し、デジタル記録メディアに記録されている放送方式と異なる放送方式を判別している時、デジタル記録メディアへの記録を一時停止し、放送方式と同じ放送方式を判別している時、デジタル記録メディアへの記録を行うダビング装置が開示されている（特許文献１参照）。
【特許文献１】特開２００５−３１０２８３号公報
【発明の開示】
【発明が解決しようとする課題】
【０００５】
一方、アナログ方式のテレビジョン放送には、ＰＡＬ（Ｐｈａｓｅ  Ａｌｔｅｒｎａｔｉｎｇ  Ｌｉｎｅ）方式、ＳＥＣＡＭ（Ｓｅｑｕｅｎｔｉｅｌ  Ｃｏｕｌｅｕｒ  ａ  Ｍｅｍｏｉｒｅ）方式等の放送方式があるため、上記ダビング装置等の従来の映像記録装置においては、放送方式によっては、アナログ方式のテレビジョン放送に対応する映像情報が格納されたＶＣ等のアナログ方式の記録媒体から、ＨＤＤ、ＤＶＤ等のデジタル方式の記録媒体へのダビングを適正に（例えば、映像品位を損なうことなく）行うことができない場合があった。
【０００６】
例えば、磁気テープ等のアナログ方式の記録媒体から読み出される際に、ＳＥＣＡＭ方式であると判別され、ＨＤＤ、ＤＶＤ等のデジタル方式の記録媒体への記録を行う際には、ＰＡＬ方式であると判別された場合には、映像情報の色情報が失われる等の映像品位の低下が発生する場合があった。
【０００７】
本発明は、上記課題に鑑みてなされたものであって、アナログ方式のテレビジョン放送に対応する映像情報を適正にダビングすることの可能な映像記録装置を提供することを目的としている。
【課題を解決するための手段】
【０００８】
上記目的を達成するために請求項１に記載の映像記録装置は、アナログ方式のテレビジョン放送に対応する映像情報が格納された第１記録媒体から映像情報を読み出して、前記第１記録媒体とは異なる第２記録媒体に映像情報を記録可能に構成された映像記録装置であって、前記第１記録媒体から映像情報を読み出し、読み出された映像情報の放送方式を判別する第１判別手段と、前記第１記録媒体から読み出された映像情報を、前記第２記録媒体に記録する記録実行手段と、前記記録実行手段によって第２記録媒体へ記録される際に、前記第２記録媒体へ記録される映像情報の放送方式を判別する第２判別手段と、前記第２判別手段によって判別された放送方式が、前記第１判別手段によって判別された放送方式と一致するか否かを判定する方式判定手段と、を備え、前記記録実行手段が、前記方式判定手段によって一致しないと判定された場合に、前記第１判別手段によって判別された放送方式に基づいて、前記第２記録媒体に映像情報を記録することを特徴としている。
【０００９】
請求項２に記載の映像記録装置は、請求項１に記載の映像記録装置であって、前記第１記録媒体に格納された映像情報の放送方式は、ＰＡＬ（Ｐｈａｓｅ  Ａｌｔｅｒｎａｔｉｎｇ  Ｌｉｎｅ）方式、又は、ＳＥＣＡＭ（Ｓｅｑｕｅｎｔｉｅｌ  Ｃｏｕｌｅｕｒ  ａ  Ｍｅｍｏｉｒｅ）方式であって、前記第１判別手段によって判別された放送方式がＳＥＣＡＭ方式である場合に、ＳＥＣＡＭ方式の映像情報をＰＡＬ方式の映像情報に変換する方式変換手段を備え、前記記録実行手段が、前記第１判別手段によって判別された放送方式がＳＥＣＡＭ方式である場合に、前記方式変換手段によってＰＡＬ方式に変換された映像情報を前記第２記録媒体に記録することを特徴としている。
【００１０】
請求項３に記載の映像記録装置は、請求項１又は請求項２に記載の映像記録装置であって、前記第１記録媒体は、アナログ方式の記録媒体であって、前記第２記録媒体が、デジタル方式の記録媒体であることを特徴としている。
【００１１】
請求項４に記載の映像記録装置は、請求項３に記載の映像記録装置であって、前記第１記録媒体は、磁気テープであって、前記第２記録媒体は、ＨＤ（Ｈａｒｄ  Ｄｉｓｋ）、又は、ＤＶＤ（Ｄｉｇｉｔａｌ  Ｖｅｒｓａｔｉｌｅ  Ｄｉｓｋ）であることを特徴としている。
【００１２】
請求項５に記載の映像記録装置は、請求項１又は請求項２に記載の映像記録装置であって、前記第１記録媒体が、デジタル方式の記録媒体であって、前記第２記録媒体が、アナログ方式の記録媒体であることを特徴としている。
【００１３】
請求項６に記載の映像記録装置は、請求項５に記載の映像記録装置であって、前記第１記録媒体が、ＨＤ（Ｈａｒｄ  Ｄｉｓｋ）、又は、ＤＶＤ（Ｄｉｇｉｔａｌ  Ｖｅｒｓａｔｉｌｅ  Ｄｉｓｋ）であって、前記第２記録媒体が、磁気テープであることを特徴としている。
【発明の効果】
【００１４】
請求項１に記載の映像記録装置によれば、アナログ方式のテレビジョン放送に対応する映像情報が格納された第１記録媒体から映像情報が読み出され、読み出された映像情報の放送方式が判別され、第１記録媒体から読み出された映像情報が、第１記録媒体とは異なる第２記録媒体へ記録される際に、第２記録媒体へ記録される映像情報の放送方式が判別される。そして、第２記録媒体へ記録される際に判別された放送方式が、第１記録媒体から読み出される際に判別された放送方式と一致するか否かが判定され、一致しないと判定された場合に、第１記録媒体から読み出される際に判別された放送方式に基づいて、第２記録媒体に映像情報が記録されるため、アナログ方式のテレビジョン放送に対応する映像情報を適正にダビングすることができる。
【００１５】
すなわち、第２記録媒体へ記録される際に判別された放送方式が、第１記録媒体から読み出される際に判別された放送方式と一致するか否かが判定され、一致しないと判定された場合に、第１記録媒体から読み出される際に判別された放送方式に基づいて、第２記録媒体に映像情報が記録されるため、例えば、読み出される際にＳＥＣＡＭ方式であると判別され、記録される際にＰＡＬ方式であると判別された場合であっても、読み出される際に判定されたＳＥＣＡＭ方式として映像情報が記録されるので、映像情報の色情報が失われる等の映像品位の低下が発生する虞がなく、アナログ方式のテレビジョン放送に対応する映像情報を適正にダビングすることができるのである。
【００１６】
つまり、読み出される際には、ディスプレイに適正に表示可能な形態で再生されるので、第１記録媒体から読み出される際に判別された放送方式に基づいて、第２記録媒体に映像情報を記録することによって、アナログ方式のテレビジョン放送に対応する映像情報を適正にダビングすることができるのである。
【００１７】
請求項２に記載の映像記録装置によれば、第１記録媒体に格納された映像情報の放送方式は、ＰＡＬ方式、又は、ＳＥＣＡＭ方式であって、第１記録媒体から読み出される際に判別された放送方式がＳＥＣＡＭ方式である場合に、ＳＥＣＡＭ方式の映像情報がＰＡＬ方式の映像情報に変換され、ＰＡＬ方式に変換された映像情報が第２記録媒体に記録されるため、アナログ方式のテレビジョン放送に対応する映像情報を更に適正にダビングすることができる。
【００１８】
すなわち、第１記録媒体から読み出される際に判別された放送方式がＳＥＣＡＭ方式である場合に、ＰＡＬ方式に変換された映像情報が第２記録媒体に記録されるため、第２記録媒体に記録される映像情報の放送方式がＰＡＬ方式に統一されるので、第２記録媒体に記録された映像情報の再生等が容易となり、アナログ方式のテレビジョン放送に対応する映像情報を更に適正にダビングすることができるのである。
【００１９】
請求項３に記載の映像記録装置によれば、第１記録媒体が、アナログ方式の記録媒体であって、第２記録媒体が、デジタル方式の記録媒体であるため、アナログ方式の記録媒体に格納されたアナログ方式のテレビジョン放送に対応する映像情報を、デジタル方式の記録媒体へ適正にダビングすることができる。
【００２０】
請求項４に記載の映像記録装置によれば、第１記録媒体が磁気テープであって、第２記録媒体がＨＤ又はＤＶＤであるため、磁気テープに格納されたアナログ方式のテレビジョン放送に対応する映像情報を、ＨＤ又はＤＶＤへ適正にダビングすることができる。
【００２１】
請求項５に記載の映像記録装置によれば、第１記録媒体がデジタル方式の記録媒体であって、第２記録媒体がアナログ方式の記録媒体であるため、デジタル方式の記録媒体に格納されたアナログ方式のテレビジョン放送に対応する映像情報を、アナログ方式の記録媒体へ適正にダビングすることができる。
【００２２】
請求項６に記載の映像記録装置によれば、第１記録媒体がＨＤ又はＤＶＤであって、第２記録媒体が磁気テープであるため、ＨＤ又はＤＶＤに格納されたアナログ方式のテレビジョン放送に対応する映像情報を、磁気テープへ適正にダビングすることができる。
【発明を実施するための最良の形態】
【００２３】
以下に本発明の実施形態を、図面を参照しながら説明する。図１は、本発明に係るＤＶＤレコーダの構成の一例を示すブロック図である。ＤＶＤレコーダ１（＝ＨＤＤ、ＶＣＲ搭載ＤＶＤレコーダ：映像記録装置に相当する）は、ＶＣＲ（Ｖｉｄｅｏ  Ｃａｓｅｔｔｅ  Ｒｅｃｏｒｄｅｒ）に装着されるＶＣ（Ｖｉｄｅｏ  Ｃａｓｅｔｔｅ）、及び、ＤＶＤ（Ｄｉｇｉｔａｌ  Ｖｅｒｓａｔｉｌｅ  Ｄｉｓｋ）の３種の記録媒体の内、いずれか１の記録媒体に格納されたアナログ方式のテレビジョン放送に対応する映像情報を、他の１の記録媒体へ記録する（＝ダビングする）ものである。
【００２４】
また、ＤＶＤレコーダ１は、ＭＰＵ１１、ＲＡＭ１２、ＲＯＭ１３、操作部１４、及び、記録再生部１５を備えている。更に、記録再生部１５は、ＶＣ記録再生部１５１、ＤＶＤ記録再生部１５２、及び、ＨＤＤ記録再生部１５３を備えている。
【００２５】
ＭＰＵ（Ｍｉｃｒｏ  Ｐｒｏｃｅｓｓｉｎｇ  Ｕｎｉｔ）１１は、ＤＶＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。操作部１４は、電源のＯＮ、ＯＦＦ操作、ダビング元及びダビング先の記録媒体の選択等の各種操作を受け付けるものである。
【００２６】
ＶＣ記録再生部１５１（第１判別手段の一部、第２判別手段の一部、及び、記録実行手段の一部に相当する）は、ＶＣＲ（Ｖｉｄｅｏ  Ｃａｓｅｔｔｅ  Ｒｅｃｏｒｄｅｒ）として機能するものであって、ＶＣ（Ｖｉｄｅｏ  Ｃａｓｅｔｔｅ）２が着脱自在に構成され、ＭＰＵ１１からの指示に従って、ＶＣ２に格納されたアナログ方式のテレビジョン放送に対応する映像情報を読み出すと共に、ＶＣ２にアナログ方式のテレビジョン放送に対応する映像情報を記録する（＝書き込む）ものである。
【００２７】
ＶＣ記録再生部１５１（記録実行手段の一部に相当する）は、ＶＣＲ（Ｖｉｄｅｏ  Ｃａｓｅｔｔｅ  Ｒｅｃｏｒｄｅｒ）として機能するものであって、ＶＣ（Ｖｉｄｅｏ  Ｃａｓｅｔｔｅ）２が着脱自在に構成され、ＭＰＵ１１からの指示に従って、ＶＣ２に格納されたアナログ方式のテレビジョン放送に対応する映像情報を読み出すと共に、ＶＣ２にアナログ方式のテレビジョン放送に対応する映像情報を記録する（＝書き込む）ものである。
【００２８】
ＤＶＤ記録再生部１５２（記録実行手段の一部に相当する）は、ＤＶＤ（Ｄｉｇｉｔａｌ  Ｖｅｒｓａｔｉｌｅ  Ｄｉｓｋ）３が着脱自在に構成され、ＭＰＵ１１からの指示に従って、ＤＶＤ３に格納されたアナログ方式のテレビジョン放送に対応する映像情報を読み出すと共に、ＤＶＤ３にアナログ方式のテレビジョン放送に対応する映像情報を記録する（＝書き込む）ものである。
【００２９】
ＨＤＤ記録再生部１５３（記録実行手段の一部に相当する）は、ＭＰＵ１１からの指示に従って、ＨＤＤ（Ｈａｒｄ  Ｄｉｓｋ  Ｄｒｉｖｅ）４に格納されたアナログ方式のテレビジョン放送に対応する映像情報を読み出すと共に、ＨＤＤ４にアナログ方式のテレビジョン放送に対応する映像情報を記録する（＝書き込む）ものである。
【００３０】
また、ＶＣ記録再生部１５１に装着されるＶＣ２（磁気テープに相当する）は、アナログ方式の記録媒体（＝アナログ信号として記録される記録媒体）に相当するものであり、ＤＶＤ記録再生部１５２に装着されるＤＶＤ３及びＨＤＤ４は、デジタル方式の記録媒体（＝デジタル情報として記録される記録媒体）に相当するものである。
【００３１】
なお、ＶＣ２、ＤＶＤ３及びＨＤＤ４の内、いずれか１の記録媒体に格納される映像情報の放送方式は、ＰＡＬ（Ｐｈａｓｅ  Ａｌｔｅｒｎａｔｉｎｇ  Ｌｉｎｅ）方式、又は、ＳＥＣＡＭ（Ｓｅｑｕｅｎｔｉｅｌ  Ｃｏｕｌｅｕｒ  ａ  Ｍｅｍｏｉｒｅ）方式である。
【００３２】
図２は、本発明に係るＤＶＤレコーダ１における主要部の構成の一例を示すブロック図である。ＭＰＵ１１は、機能的に、処理設定部１１１、第１判別部１１２、第２判別部１１３、方式判定部１１４、方式変換部１１５、及び、記録実行部１１６を備えている。また、ＶＣ記録再生部１５１、ＤＶＤ記録再生部１５２、及び、ＨＤＤ記録再生部１５３は、それぞれ、方式判別回路１５１ａ、１５２ａ、１５３ａを備えている。
【００３３】
ここでは、ＭＰＵ１１が、図１に示すＲＯＭ１３等に予め格納された制御プログラムを読み出して実行することにより、処理設定部１１１、第１判別部１１２、第２判別部１１３、方式判定部１１４、方式変換部１１５、記録実行部１１６等の機能部として機能するものである。
【００３４】
また、図１に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ、半導体メモリ等である。
【００３５】
方式判別回路１５１ａ（第１判別手段の一部、及び、第２判別手段の一部に相当する）は、ＭＰＵ１１（第１判別部１１２、第２判別部１１３）からの指示に従って、ＶＣ２に格納された映像情報を読み出す際に、読み出された映像情報の放送方式を判別すると共に、ＶＣ２に映像情報を記録する際に、記録する映像情報の放送方式を判別する回路である。
【００３６】
方式判別回路１５２ａ（第１判別手段の一部、及び、第２判別手段の一部に相当する）は、ＭＰＵ１１（第１判別部１１２、第２判別部１１３）からの指示に従って、ＤＶＤ３に格納された映像情報を読み出す際に、読み出された映像情報の放送方式を判別すると共に、ＤＶＤ３に映像情報を記録する際に、記録する映像情報の放送方式を判別する回路である。
【００３７】
方式判別回路１５３ａ（第１判別手段の一部、及び、第２判別手段の一部に相当する）は、ＭＰＵ１１（第１判別部１１２、第２判別部１１３）からの指示に従って、ＨＤＤ４に格納された映像情報を読み出す際に、読み出された映像情報の放送方式を判別すると共に、ＨＤＤ４に映像情報を記録する際に、記録する映像情報の放送方式を判別する回路である。
【００３８】
なお、ここでは、ＶＣ２、ＤＶＤ３及びＨＤＤ４に格納される映像情報の放送方式が、ＰＡＬ方式又はＳＥＣＡＭ方式であるため、方式判別回路１５１ａ、１５２ａ、１５３ａは、それぞれ、映像情報の放送方式が、ＰＡＬ方式及びＳＥＣＡＭ方式のどちらであるかを判別するものである。また、ＰＡＬ方式及びＳＥＣＡＭ方式のどちらであるかを判別する回路である方式判別回路１５１ａ、１５２ａ、１５３ａは、周知の判別回路（例えば、特開平８−５１６４５号公報、特開２００３−１８６０８号公報等に記載されている判別回路）で構成することが可能である。
【００３９】
処理設定部１１１は、操作部１４を介して、ユーザから操作入力を受け付けて、受け付けられた操作入力に基づいて、ＶＣ２、ＤＶＤ３及びＨＤＤ４の３種類の記録媒体の中から、１の記録媒体（例えば、ＶＣ２）を、映像情報を読み出す記録媒体（＝ダビング元の記録媒体）である第１記録媒体として設定すると共に、ＶＣ２、ＤＶＤ３及びＨＤＤ４の３種類の記録媒体の中から、他の１の記録媒体（例えば、ＨＤＤ４）を、映像情報を記録する記録媒体（＝ダビング先の記録媒体）である第２記録媒体として設定するものである。また、処理設定部１１１は、操作部１４を介して、ユーザから操作入力を受け付けて、受け付けられた操作入力に基づいて、第１記録媒体（ここでは、ＶＣ２）に格納された映像情報を第２記録媒体（ここでは、ＨＤＤ４）へ記録するダビング処理を実行する旨の指示を受け付けるものである。
【００４０】
第１判別部１１２（第１判別手段の一部に相当する）は、処理設定部１１１によって設定された第１記録媒体（ここでは、ＶＣ２）から、アナログ方式のテレビジョン放送に対応する映像情報を読み出し、読み出された映像情報の放送方式を、第１記録媒体（ここでは、ＶＣ２）に対応する方式判別回路１５１ａ、１５２ａ、１５３ａ（ここでは、方式判別回路１５１ａ）を介して、判別するものである。
【００４１】
第２判別部１１３（第２判別手段の一部に相当する）は、記録実行部１１６によって、映像情報が、処理設定部１１１により設定された第２記録媒体（ここでは、ＨＤＤ４）へ記録される際に、第２記録媒体（ここでは、ＨＤＤ４）へ記録される映像情報の放送方式を、第２記録媒体（ここでは、ＨＤＤ４）に対応する方式判別回路１５１ａ、１５２ａ、１５３ａ（ここでは、方式判別回路１５３ａ）を介して、判別するものである。
【００４２】
方式判定部１１４（方式判定手段に相当する）は、第２判別部１１３によって判別された放送方式が、第１判別部１１２によって判別された放送方式と一致するか否かを判定するものである。
【００４３】
方式変換部１１５（方式変換手段に相当する）は、第１判別部１１２によって判別された放送方式がＳＥＣＡＭ方式である場合に、ＳＥＣＡＭ方式の映像情報をＰＡＬ方式の映像情報に変換する（いわゆる、ＰＡＬ変換を実行する）ものである。
【００４４】
記録実行部１１６（記録実行手段の一部に相当する）は、方式判定部１１４によって一致しないと判定された場合に、第１判別部１１２によって判別された放送方式に基づいて、処理設定部１１１によって設定された第２記録媒体（ここでは、ＨＤＤ４）に、記録再生部１５（ここでは、ＨＤＤ記録再生部１５３）を介して、映像情報を記録するものである。
【００４５】
また、記録実行部１１６は、第１判別部１１２によって判別された放送方式がＳＥＣＡＭ方式である場合には、方式変換部１１５によってＰＡＬ変換されたＰＡＬ形式の映像情報を第２記録媒体（ここでは、ＨＤＤ４）に記録するものである。
【００４６】
図３、図４は、本発明に係るＤＶＤレコーダ１の動作の一例を示すフローチャートである。なお、ここでは、便宜上、処理設定部１１１によって予め第１記録媒体（＝ダビング元の記録媒体：ここでは、ＶＣ２）及び第２記録媒体（＝ダビング先の記録媒体：ここでは、ＨＤＤ４）が設定されている場合について説明する。まず、処理設定部１１１によって、ダビング処理を実行する旨の指示が受け付けられたか否かの判定が行われる（Ｓ１０１）。ダビング処理を実行する旨の指示が受け付けられていないと判定された場合（Ｓ１０１でＮＯ）には、処理が待機状態とされる。
【００４７】
ダビング処理を実行する旨の指示が受け付けられたと判定された場合（Ｓ１０１でＹＥＳ）には、第１判別部１１２によって、第１記録媒体（ここでは、ＶＣ２）から映像情報が読み出され、読み出された映像情報の放送方式Ｍ１が、方式判別回路１５１ａ、１５２ａ、１５３ａ（ここでは、方式判別回路１５１ａ）を介して、判別される（Ｓ１０３）。そして、第２判別部１１３によって、第２記録媒体（ここでは、ＨＤＤ４）へ記録される映像情報の放送方式Ｍ２が、方式判別回路１５１ａ、１５２ａ、１５３ａ（ここでは、方式判別回路１５３ａ）を介して、判定される（Ｓ１０５）。
【００４８】
次いで、方式判定部１１４によって、ステップＳ１０５において判別された放送方式Ｍ２が、ステップＳ１０３において判別された放送方式Ｍ１と一致するか否かの判定が行われる（Ｓ１０７）。一致すると判定された場合（Ｓ１０７でＹＥＳ）には、処理が図４に示すステップＳ１１１に進められる。一致しないと判定された場合（Ｓ１０７でＮＯ）には、記録実行部１１６によって、映像情報を記録する際の放送方式がステップＳ１０３において判別された放送方式Ｍ１に設定される（Ｓ１０９）。
【００４９】
ステップＳ１０７でＮＯの場合、又は、ステップＳ１０９の処理が終了した場合には、図４に示すように、方式変換部１１５によって、ステップＳ１０３において判別された放送方式Ｍ１がＳＥＣＡＭ方式であるか否かの判定が行われる（Ｓ１１１）。放送方式Ｍ１がＳＥＣＡＭ方式ではない（＝ＰＡＬ方式である）場合（Ｓ１１１でＮＯ）には、処理がステップＳ１１５に進められる。放送方式Ｍ１がＳＥＣＡＭ方式である場合（Ｓ１１１でＹＥＳ）には、方式変換部１１５によって、第１記録媒体（ここでは、ＶＣ２）から読み出された映像情報がＰＡＬ方式に変換される（Ｓ１１３）。
【００５０】
ステップＳ１１１でＮＯの場合、又は、ステップＳ１１３の処理が終了した場合には、記録実行部１１６によって、第１記録媒体（ここでは、ＶＣ２）から読み出された映像情報（又は、ステップＳ１１３において、ＰＡＬ方式に変換された映像情報）が、ステップＳ１０９において設定された放送方式に基づいて、第２記録媒体（ここでは、ＨＤＤ４）に、記録再生部１５（ここでは、ＨＤＤ記録再生部１５３）を介して、記録される（Ｓ１１５）。そして、第１判別部１１２によって、第１記録媒体（ここでは、ＶＣ２）に格納された映像情報が全て読み出されたか否か（＝処理設定部１１１によって受け付けられたダビング処理が終了したか否か）の判定が行われる（Ｓ１１７）。ダビング処理が終了したと判定された場合（Ｓ１１７でＹＥＳ）には、処理が終了される。ダビング処理が終了していないと判定された場合（Ｓ１１７でＮＯ）には、処理が図４に示すステップＳ１０３に戻され、ステップＳ１０３以降の処理が繰り返し実行される。
【００５１】
このようにして、アナログ方式のテレビジョン放送に対応する映像情報が格納された第１記録媒体（ここでは、ＶＣ２）から映像情報が読み出され、読み出された映像情報の放送方式Ｍ１が判別され、第１記録媒体（ここでは、ＶＣ２）から読み出された映像情報が、第１記録媒体とは異なる第２記録媒体（ここでは、ＨＤＤ４）へ記録される際に、第２記録媒体へ記録される映像情報の放送方式Ｍ２が判別される。そして、第２記録媒体へ記録される際に判別された放送方式Ｍ２が、第１記録媒体から読み出される際に判別された放送方式Ｍ１と一致するか否かが判定され、一致しないと判定された場合に、第１記録媒体から読み出される際に判別された放送方式Ｍ１に基づいて、第２記録媒体に映像情報が記録されるため、アナログ方式のテレビジョン放送に対応する映像情報を適正にダビングすることができる。
【００５２】
すなわち、第２記録媒体（ここでは、ＨＤＤ４）へ記録される際に判別された放送方式Ｍ２が、第１記録媒体（ここでは、ＶＣ２）から読み出される際に判別された放送方式Ｍ１と一致するか否かが判定され、一致しないと判定された場合に、第１記録媒体から読み出される際に判別された放送方式Ｍ１に基づいて、第２記録媒体に映像情報が記録されるため、例えば、読み出される際に放送方式Ｍ１がＳＥＣＡＭ方式であると判別され、記録される際に放送方式Ｍ２がＰＡＬ方式であると判別された場合であっても、読み出される際に判定された放送方式Ｍ１であるＳＥＣＡＭ方式として映像情報が記録されるので、映像情報の色情報が失われる等の映像品位の低下が発生する虞がなく、アナログ方式のテレビジョン放送に対応する映像情報を適正にダビングすることができるのである。
【００５３】
つまり、読み出される際には、ディスプレイに適正に表示可能な形態で再生されるので、第１記録媒体（ここでは、ＶＣ２）から読み出される際に判別された放送方式Ｍ１に基づいて、第２記録媒体（ここでは、ＨＤＤ４）に映像情報を記録することによって、アナログ方式のテレビジョン放送に対応する映像情報を適正にダビングすることができるのである。
【００５４】
また、第１記録媒体（ここでは、ＶＣ２）に格納された映像情報の放送方式は、ＰＡＬ方式、又は、ＳＥＣＡＭ方式であって、第１記録媒体から読み出される際に判別された放送方式Ｍ１がＳＥＣＡＭ方式である場合に、ＳＥＣＡＭ方式の映像情報がＰＡＬ方式の映像情報に変換され、ＰＡＬ方式に変換された映像情報が第２記録媒体（ここでは、ＨＤＤ４）に記録されるため、アナログ方式のテレビジョン放送に対応する映像情報を更に適正にダビングすることができる。
【００５５】
すなわち、第１記録媒体（ここでは、ＶＣ２）から読み出される際に判別された放送方式Ｍ１がＳＥＣＡＭ方式である場合に、ＰＡＬ方式に変換された映像情報が第２記録媒体（ここでは、ＨＤＤ４）に記録されるため、第２記録媒体に記録される映像情報の放送方式がＰＡＬ方式に統一されるので、第２記録媒体に記録された映像情報の再生等が容易となり、アナログ方式のテレビジョン放送に対応する映像情報を更に適正にダビングすることができるのである。
【００５６】
更に、第１記録媒体が、アナログ方式の記録媒体（ここでは、ＶＣ２）であって、第２記録媒体が、デジタル方式の記録媒体（ここでは、ＨＤＤ４）であるため、アナログ方式の記録媒体に格納されたアナログ方式のテレビジョン放送に対応する映像情報を、デジタル方式の記録媒体へ適正にダビングすることができる。
【００５７】
加えて、第１記録媒体が磁気テープ（ここでは、ＶＣ２）であって、第２記録媒体がＨＤ４であるため、磁気テープに格納されたアナログ方式のテレビジョン放送に対応する映像情報を、ＨＤＤ４へ適正にダビングすることができる。
【００５８】
なお、本発明は、以下の形態にも適用可能である。
（Ａ）本実施形態では、映像記録装置が、ＶＣ２、ＤＶＤ３、及び、ＨＤＤ４の３種の記録媒体に映像情報を読み書き自在に構成されたＤＶＤレコーダ１である場合について説明したが、映像記録装置が、複数種類の記録媒体に映像情報を読み書き自在に構成された装置であればよい。例えば、映像記録装置が、ＨＤＤを搭載したＶＣＲ（Ｖｉｄｅｏ  Ｃａｓｅｔｔｅ  Ｒｅｃｏｒｄｅｒ）である形態でもよい。
【００５９】
（Ｂ）本実施形態では、ＭＰＵ１１が処理設定部１１１、第１判別部１１２、第２判別部１１３、方式判定部１１４、方式変換部１１５、記録実行部１１６等の機能部を有する場合について説明したが、処理設定部１１１、第１判別部１１２、第２判別部１１３、方式判定部１１４、方式変換部１１５、及び、記録実行部１１６の内、少なくとも１の機能部が回路等のハードウェアによって構成されている形態でもよい。
【００６０】
（Ｃ）本実施形態では、第１記録媒体が、アナログ方式の記録媒体（ここでは、ＶＣ２）であって、第２記録媒体が、デジタル方式の記録媒体（ここでは、ＨＤＤ４）である場合について説明したが、第１記録媒体が、デジタル方式の記録媒体（例えば、ＤＶＤ３）であって、第２記録媒体が、アナログ方式の記録媒体（例えば、ＶＣ２）である形態でもよい。この場合には、デジタル方式の記録媒体（ここでは、ＤＶＤ３）に格納されたアナログ方式のテレビジョン放送に対応する映像情報を、アナログ方式の記録媒体（ここでは、ＶＣ２）へ適正にダビングすることができる。
【００６１】
（Ｄ）本実施形態では、第１記録媒体が、磁気テープ（ここでは、ＶＣ２）であって、第２記録媒体がＨＤ４である場合について説明したが、第２記録媒体がＨＤ４以外のデジタル方式の記録媒体（例えば、ＤＶＤ３）である形態でもよい。
【００６２】
（Ｅ）本実施形態では、第１記録媒体が、磁気テープ（ここでは、ＶＣ２）であって、第２記録媒体がＨＤ４である場合について説明したが、第１記録媒体が、ＤＶＤ３又はＨＤＤ４であって、第２記録媒体が磁気テープ（ここでは、ＶＣ２）である形態でもよい。この場合には、ＤＶＤ３又はＨＤＤ４に格納されたアナログ方式のテレビジョン放送に対応する映像情報を、磁気テープ（ここでは、ＶＣ２）へ適正にダビングすることができる。
【図面の簡単な説明】
【００６３】
【図１】は、本発明に係るＤＶＤレコーダの構成の一例を示すブロック図である。
【図２】は、本発明に係るＤＶＤレコーダにおける主要部の構成の一例を示すブロック図である。
【図３】は、本発明に係るＤＶＤレコーダの動作の一例を示すフローチャート（前半部）である。
【図４】は、本発明に係るＤＶＤレコーダの動作の一例を示すフローチャート（後半部）である。
【符号の説明】
【００６４】
１    ＤＶＤレコーダ（映像記録装置）
１１    ＭＰＵ
１１１    処理設定部
１１２    第１判別部（第１判別手段の一部）
１１３    第２判別部（第２判別手段の一部）
１１４    方式判定部（方式判定手段）
１１５    方式変換部（方式変換手段）
１１６    記録実行部（記録実行手段の一部）
１４    操作部
１５    記録再生部
１５１    ＶＣ記録再生部（記録実行手段の一部）
１５１ａ    方式判別回路（第１判別手段の一部、第２判別手段の一部）
１５２    ＤＶＤ記録再生部（記録実行手段の一部）
１５２ａ    方式判別回路（第１判別手段の一部、第２判別手段の一部）
１５３    ＨＤＤ記録再生部（記録実行手段の一部）
１５３ａ    方式判別回路（第１判別手段の一部、第２判別手段の一部）
【図１】
0004497197.tif 000002
【図２】
0004497197.tif 000003
【図３】
0004497197.tif 000004
【図４】
0004497197.tif 000005